【手続補正書】
【提出日】平成16年9月9日(2004.9.9)
【手続補正１】
【補正対象書類名】明細書
【補正対象項目名】特許請求の範囲
【補正方法】変更
【補正の内容】
【特許請求の範囲】
【請求項１】
遊技媒体を用いて所定の遊技を行うことが可能であり、所定の払出条件が成立したことにもとづいて遊技媒体を払い出す遊技機であって、
遊技の進行に関わる制御を行う遊技制御手段と、
前記遊技媒体の払い出しを行う払出手段と、
前記払出手段により払い出された遊技媒体を検出する払出遊技媒体検出手段と、
遊技機への電力供給が停止しても所定期間は記憶内容を保持することが可能であり、前記払出条件の成立にもとづいて払い出すべき遊技媒体数のうち未だ払い出されていない未払出数を特定可能な未払出数データを記憶する変動データ記憶手段と、
前記遊技制御手段からのコマンドデータにもとづいて前記払出手段の制御を行い、前記払出遊技媒体検出手段からの検出信号を入力する検出信号入力処理と、前記検出信号入力処理の結果を示すデータにもとづいて前記未払出数データを更新する処理とを行う払出制御手段と、
遊技機で用いられる所定の電源の状態を監視して、遊技機への電力の供給停止にかかわる検出条件が成立したときに検出信号を出力する電源監視手段と、
前記電源監視手段によって前記検出信号が出力された後少なくとも所定の検出維持期間が経過するまでの期間において前記払出遊技媒体検出手段による遊技媒体の検出を可能な状態とするために、当該払出遊技媒体検出手段および前記払出制御手段に電力を供給可能な補助電力供給手段と、を備え、
前記遊技制御手段および前記払出制御手段は、前記電源監視手段からの検出信号に応じて制御状態を復旧させるために必要なデータを前記変動データ記憶手段に保存するための電力供給停止時処理を実行し、電力供給が復帰し所定の復旧条件が成立したときに前記変動データ記憶手段に保存されていた記憶内容にもとづいて制御状態を電力供給が停止する前の状態に復旧させる復旧処理を実行し、所定の復旧条件が不成立であったときには、前記変動データ記憶手段に保持されていた記憶内容を初期化する初期化処理を実行し、
前記遊技制御手段は、コマンドデータとコマンドデータの払出制御手段への入力を指示するための指示信号とを出力ポートを介して前記払出制御手段に出力し、前記コマンドデータの出力ポートへの出力に応じて出力ポートに出力したコマンドデータの内容を前記変動データ記憶手段のポート出力内容記憶領域に保存し、
前記遊技制御手段は、前記復旧処理にて、前記ポート出力内容記憶領域の内容にもとづいて、前記出力ポートの状態を復旧させ、
前記払出制御手段は、前記電力供給停止時処理にて前記検出信号入力処理を実行し、前記検出信号入力処理の結果を示すデータを前記変動データ記憶手段に保存し、前記復旧処理にて前記検出信号入力処理の結果を示すデータにもとづいて前記未払出数データを更新する処理を実行する
ことを特徴とする遊技機。
【請求項２】
遊技制御手段は、コマンドデータを出力した後に指示信号を出力するまでの間に電力供給が停止したときには、電力供給が再開されたときに、出力ポートの状態を復旧させた後、指示信号を出力する
請求項１記載の遊技機。
【請求項３】
払出制御手段は、
電力供給が開始されたときに、遊技制御手段によるコマンドデータの出力状態を所定期間監視し、
前記所定期間内に、前記遊技制御手段によるコマンドデータの出力状態に変化がないときには、コマンドデータを入力するコマンドデータ入力処理を実行せずに復旧処理を行う
請求項１または請求項２記載の遊技機。
【請求項４】
遊技制御手段は、所定の制御周期毎に発生する割込に関連して割込処理を実行し、１回の割込処理期間内に払出制御手段に対してコマンドデータを出力する制御を実行しないときには、ポート出力内容記憶領域に所定のデータを記憶させる
請求項１から請求項３のうちいずれかに記載の遊技機。
【手続補正２】
【補正対象書類名】明細書
【補正対象項目名】００１５
【補正方法】変更
【補正の内容】
【００１５】
【課題を解決するための手段】
本発明による遊技機は、遊技媒体を用いて所定の遊技を行うことが可能であり、所定の払出条件（例えば、遊技領域に設けられた入賞領域への入賞があったときに成立する条件、スロットマシンにおいて予め定められた所定の表示態様での表示が表示装置になされたときに成立する条件、カードユニット５０からの球貸し要求があっとときに成立する条件）が成立したことにもとづいて遊技媒体を払い出す遊技機であって、遊技の進行に関わる制御を行う遊技制御手段（例えば、ＣＰＵ５６を含む遊技制御手段）と、遊技媒体の払い出しを行う払出手段（例えば球払出装置９７）と、払出手段により払い出された遊技媒体を検出する払出遊技媒体検出手段（例えば賞球カウントスイッチ３０１Ａ、球貸しカウントスイッチ３０１Ｂ）と、遊技機への電力供給が停止しても所定期間は記憶内容を保持することが可能であり、払出条件の成立にもとづいて払い出すべき遊技媒体数のうち未だ払い出されていない未払出数を特定可能な未払出数データ（例えば総賞球数格納バッファの格納値、賞球未払出カウンタ、貸し球未払出個数カウンタ）を記憶する変動データ記憶手段（例えば主基板３１が備える電源バックアップされたＲＡＭ５５や払出制御基板３７が備える電源バックアップされたＲＡＭ）と、遊技制御手段からのコマンドデータにもとづいて払出手段の制御を行い、払出遊技媒体検出手段からの検出信号を入力する検出信号入力処理と、検出信号入力処理の結果を示すデータにもとづいて未払出数データを更新する処理とを行う払出制御手段（例えば、払出制御用ＣＰＵ３７１を含む払出制御手段）と、遊技機で用いられる所定の電源の状態を監視して、遊技機への電力の供給停止にかかわる検出条件（例えば監視電圧であるＶSL（＋３０Ｖ）の電圧値が＋２２Ｖまで低下したときに成立する条件）が成立したときに検出信号（例えば電源断信号）を出力する電源監視手段（例えば電源監視用ＩＣ９０２）と、電源監視手段によって検出信号が出力された後少なくとも所定の検出維持期間（例えば、ステップＳ４６６やステップＳ８１６で設定される期間）が経過するまでの期間において払出遊技媒体検出手段による遊技媒体の検出を可能な状態とするために、当該払出遊技媒体検出手段および払出制御手段に電力を供給可能な補助電力供給手段（例えばコンデンサ９２３を備えるコンバータＩＣ９２０）と、を備え、遊技制御手段および払出制御手段は、電源監視手段からの検出信号に応じて制御状態を復旧させるために必要なデータ（例えばＣＰＵ５６や払出制御用ＣＰＵ３７１に用いられるレジスタのデータ等）を変動データ記憶手段に保存するための電力供給停止時処理（例えば図２２〜図２４に示す処理や図４９〜図５１に示す処理）を実行し、電力供給が復帰し所定の復旧条件（例えばステップＳ７〜ステップＳ９の条件やステップＳ７０７〜ステップＳ７０９の条件）が成立したときに変動データ記憶手段に保存されていた記憶内容にもとづいて制御状態を電力供給が停止する前の状態に復旧させる復旧処理（例えば図２０に示す遊技状態復旧処理や図４８に示す払出状態復旧処理）を実行し、所定の復旧条件が不成立であったときには、変動データ記憶手段に保持されていた記憶内容を初期化する初期化処理（���えばステップＳ１１〜ステップＳ１５の処理、ステップＳ７１１〜ステップＳ７１４の処理）を実行し、遊技制御手段は、コマンドデータとコマンドデータの払出制御手段への入力を指示するための指示信号（例えば図７９における割込信号や図９１におけるＳＴＢ信号）とを出力ポート（例えば図８０に示す出力ポート）を介して払出制御手段に出力し、コマンドデータの出力ポートへの出力に応じて出力ポートに出力したコマンドデータの内容を変動データ記憶手段のポート出力内容記憶領域（例えば出力ポート１出力内容記憶領域〜出力ポート４出力内容記憶領域）に保存し、遊技制御手段は、復旧処理にて、ポート出力内容記憶領域の内容にもとづいて、出力ポートの状態を復旧させ（例えばステップＳ９３）、払出制御手段は、電力供給停止時処理にて検出信号入力処理（例えば、図２３におけるステップＳ４６６〜ステップＳ４８６の処理、図５０におけるステップＳ８１６〜ステップＳ８２６の処理、図５０におけるステップＳ８２７〜ステップＳ８３４の処理）を実行し、検出信号入力処理の結果を示すデータを変動データ記憶手段に保存（例えばステップＳ８７２、ステップＳ８７３）し、復旧処理にて検出信号入力処理の結果を示すデータにもとづいて未払出数データを更新する処理（例えばステップＳ８８９、ステップＳ８９０）を実行することを特徴とする。
【手続補正３】
【補正対象書類名】明細書
【補正対象項目名】００１６
【補正方法】変更
【補正の内容】
【００１６】
遊技制御手段が、コマンドデータを出力した後に指示信号を出力するまでの間に電力供給が停止したときには、電力供給が再開されたときに、出力ポートの状態を復旧させた後、指示信号を出力するように構成されていてもよい。
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】変更
【補正の内容】
【００２３】
払出制御手段が、電力供給が開始されたときに、遊技制御手段によるコマンドデータの出力状態を所定期間監視し、所定期間（例えばＳ８８２でセットされた回数のループ処理が実行されるまでの期間）内に、遊技制御手段によるコマンドデータの出力状態に変化がないとき（例えばステップＳ８８４にてＹと判定された場合）には、コマンドデータを入力するコマンドデータ入力処理を実行せずに復旧処理を行う（例えばステップＳ８９６にてＰＣを初期化する）ように構成されていてもよい。
【手続補正１１】
【補正対象書類名】明細書
【補正対象項目名】００２４
【補正方法】変更
【補正の内容】
【００２４】
遊技制御手段が、所定の制御周期毎に発生する割込（例えばタイマ割込）に関連して割込処理を実行し、１回の割込処理期間内に払出制御手段に対してコマンドデータを出力する制御を実行しないときには、ポート出力内容記憶領域に所定のデータ（例えばＦＦ（Ｈ）や００（Ｈ））を記憶させるように構成されていてもよい。
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】削除
【補正の内容】
【手続補正１６】
【補正対象書類名】明細書
【補正対象項目名】００２９
【補正方法】削除
【補正の内容】
【手続補正１７】
【補正対象書類名】明細書
【補正対象項目名】００３０
【補正方法】削除
【補正の内容】
【手続補正１８】
【補正対象書類名】明細書
【補正対象項目名】００３１
【補正方法】削除
【補正の内容】
【手続補正１９】
【補正対象書類名】明細書
【補正対象項目名】００３２
【補正方法】削除
【補正の内容】
【手続補正２０】
【補正対象書類名】明細書
【補正対象項目名】００３３
【補正方法】削除
【補正の内容】
【手続補正２１】
【補正対象書類名】明細書
【補正対象項目名】００３４
【補正方法】削除
【補正の内容】
【手続補正２２】
【補正対象書類名】明細書
【補正対象項目名】００３５
【補正方法】削除
【補正の内容】
【手続補正２３】
【補正対象書類名】明細書
【補正対象項目名】００３６
【補正方法】削除
【補正の内容】
【手続補正２４】
【補正対象書類名】明細書
【補正対象項目名】０６９１
【補正方法】変更
【補正の内容】
【０６９１】
【発明の効果】
以上のように、請求項１記載の発明によれば、遊技制御手段および払出制御手段が、電源監視手段からの検出信号に応じて制御状態を復旧させるために必要なデータを変動データ記憶手段に保存するための電力供給停止時処理を実行し、電力供給が復帰し所定の復旧条件が成立したときに変動データ記憶手段に保存されていた記憶内容にもとづいて制御状態を電力供給が停止する前の状態に復旧させる復旧処理を実行し、所定の復旧条件が不成立であったときには、変動データ記憶手段に保持されていた記憶内容を初期化する初期化処理を実行し、遊技制御手段は、コマンドデータとコマンドデータの払出制御手段への入力を指示するための指示信号とを出力ポートを介して払出制御手段に出力し、コマンドデータの出力ポートへの出力に応じて出力ポートに出力したコマンドデータの内容を変動データ記憶手段のポート出力内容記憶領域に保存し、遊技制御手段は、復旧処理にて、ポート出力内容記憶領域の内容にもとづいて、出力ポートの状態を復旧させ、払出制御手段は、電力供給停止時処理にて検出信号入力処理を実行し、検出信号入力処理の結果を示すデータを変動データ記憶手段に保存し、復旧処理にて検出信号入力処理の結果を示すデータにもとづいて未払出数データを更新する処理を実行することを特徴とするので、電力供給停止時処理にて、払い出された遊技媒体を確実に検出することが可能となるとともに、遊技制御手段と払出制御手段との間におけるコマンドの送受信を欠落させないようにすることができるという効果がある。また、電力供給停止時処理での検出信号入力処理を迅速に行うことができる。
【手続補正２５】
【補正対象書類名】明細書
【補正対象項目名】０６９２
【補正方法】変更
【補正の内容】
【０６９２】
請求項２記載の発明では、遊技制御手段が、コマンドデータを出力した後に指示信号を出力するまでの間に電力供給が停止したときには、電力供給が再開されたときに、出力ポートの状態を復旧させた後、指示信号を出力するように構成されているので、コマンドデータを出力した後、指示信号を出力するまでの間に電力供給が停止しても、確実にコマンドの送受信が実行される。
【手続補正２６】
【補正対象書類名】明細書
【補正対象項目名】０６９３
【補正方法】削除
【補正の内容】
【手続補正２７】
【補正対象書類名】明細書
【補正対象項目名】０６９４
【補正方法】削除
【補正の内容】
【手続補正２８】
【補正対象書類名】明細書
【補正対象項目名】０６９５
【補正方法】削除
【補正の内容】
【手続補正２９】
【補正対象書類名】明細書
【補正対象項目名】０６９６
【補正方法】削除
【補正の内容】
【手続補正３０】
【補正対象書類名】明細書
【補正対象項目名】０６９７
【補正方法】削除
【補正の内容】
【手続補正３１】
【補正対象書類名】明細書
【補正対象項目名】０６９８
【補正方法】削除
【補正の内容】
【手続補正３２】
【補正対象書類名】明細書
【補正対象項目名】０６９９
【補正方法】変更
【補正の内容】
【０６９９】
請求項３記載の発明では、払出制御手段が、電力供給が開始されたときに、遊技制御手段によるコマンドデータの出力状態を所定期間監視し、所定期間内に、遊技制御手段によるコマンドデータの出力状態に変化がないときには、コマンドデータを入力するコマンドデータ入力処理を実行せずに復旧処理を行うように構成されているので、不必要な制御を行うことなく、電力供給停止前の制御状態に復旧することができる。
【手続補正３３】
【補正対象書類名】明細書
【補正対象項目名】０７００
【補正方法】変更
【補正の内容】
【０７００】
請求項４記載の発明では、遊技制御手段が、所定の制御周期毎に発生する割込に関連して割込処理を実行し、１回の割込処理期間内に払出制御手段に対してコマンドデータを出力する制御を実行しないときには、ポート出力内容記憶領域に所定のデータを記憶させるように構成されているので、払出制御手段において誤ったコマンドが取り込まれてしまう可能性が低減する。
【手続補正３４】
【補正対象書類名】明細書
【補正対象項目名】０７０１
【補正方法】削除
【補正の内容】
【手続補正３５】
【補正対象書類名】明細書
【補正対象項目名】０７０２
【補正方法】削除
【補正の内容】
【手続補正３６】
【補正対象書類名】明細書
【補正対象項目名】０７０３
【補正方法】削除
【補正の内容】
【手続補正３７】
【補正対象書類名】明細書
【補正対象項目名】０７０４
【補正方法】削除
【補正の内容】
【手続補正３８】
【補正対象書類名】明細書
【補正対象項目名】０７０５
【補正方法】削除
【補正の内容】
【手続補正３９】
【補正対象書類名】明細書
【補正対象項目名】０７０６
【補正方法】削除
【補正の内容】
【手続補正４０】
【補正対象書類名】明細書
【補正対象項目名】０７０７
【補正方法】削除
【補正の内容】
【手続補正４１】
【補正対象書類名】明細書
【補正対象項目名】０７０８
【補正方法】削除
【補正の内容】
【手続補正４２】
【補正対象書類名】明細書
【補正対象項目名】０７０９
【補正方法】削除
【補正の内容】
【手続補正４３】
【補正対象書類名】明細書
【補正対象項目名】０７１０
【補正方法】削除
【補正の内容】
【手続補正４４】
【補正対象書類名】明細書
【補正対象項目名】０７１１
【補正方法】削除
【補正の内容】
【手続補正４５】
【補正対象書類名】明細書
【補正対象項目名】０７１２
【補正方法】削除
【補正の内容】